(57)【要約】【課題】効果的に転写紙の除電を行い、また耐久的にも除電能力を維持できるようにする。【解決手段】画像形成装置の転写装置において、転写後の転写材を剥離する引き付け板（６）に除電布（７）を一体的に取り付けたものである。【選択図】        図２
2004184919.tif 000002
【特許請求の範囲】
【請求項１】
画像形成装置の転写装置において、転写後の転写材を剥離する引き付け板に除電布を一体的に取り付けたことを特徴とする転写装置。
【請求項２】
前記除電布は２層以上剥離可能に設けられていることを特徴とする請求項１記載の転写装置。
【請求項３】
各層の除電布の抵抗値を変えたことを特徴とする請求項２記載の転写装置。
【請求項４】
各層の除電布へ印加する電圧を変えることを特徴とする請求項２記載の転写装置。
【請求項５】
最表層の除電布と転写材間の距離を調整可能にしたことを特徴とする請求項２記載の転写装置。
【請求項６】
除電布各層間にはフィルムを介在させたことを特徴とする請求項２乃至５何れか記載転写装置。
【請求項７】
転写ローラと引き付け板及び除電布との間に電気的リーク防止部材を設け、該リーク防止部材により最表層の除電布のみ露出させるようにしたことを特徴とする請求項２乃至６いずれか記載の転写装置。
【請求項８】
転写後の転写材をガイドするガイド部材を設け、該ガイド部材と除電布が取り付けられた引きつけ板とは分離可能であることを特徴とする請求項１記載の転写装置。
【発明の詳細な説明】
【０００１】
【発明の属する技術分野】
本発明は転写後の転写材の帯電電荷を除電する部材を有する画像形成装置の転写装置に関する。
【０００２】
【従来の技術】
従来、複写機等の画像形成装置において、転写電界を印加して現像工程により形成されたトナー像を転写紙に転写しており、この際に転写紙上に電荷があるとトナーが飛翔して転写紙に付着し、画像劣化を起こすため、これを防止するために除電ブラシにより転写紙を除電することが行われ（特許文献１）、また、転写ローラによる転写直後の位置に除電針を配置して転写紙の除電を行うことも行われている（特許文献２）。
【０００３】
【特許文献１】特公平６−７７１７０号公報
【０００４】
【特許文献２】特許第２７５９４８７号（第７図）
【０００５】
【発明が解決しようとする課題】
ところで、転写後の転写紙を除電不足の状態でガイド部材を通して搬送すると、ガイド部材のリブと接触して静電気による筋状の画像乱れが発生する。また、例えば、中間転写媒体を使用するカラー画像形成装置において、２次転写ローラと中間転写媒体に圧接して搬送される紙は、ニップ時の摩擦により紙粉を発生する。特に、１度定着器を通過した転写紙は、ローラの加圧力と熱によりダメージが大きいため、更に多くの紙粉を発生し、これが耐久により除電ブラシや除電針等の除電部材に堆積し、著しく除電能力を落とすため、画像乱れの発生原因となる。また、除電能力を向上させるために、除電部材に転写時とは逆バイアスを印加することが行われているが、それにより除電部材が機内に浮遊している紙粉等の集塵機的な役割を果たすことになり、除電部材に汚れが付着してこれが落とし難いため、画像乱れの発生原因となる。しかし、上記特許文献１、特許文献２にはかかる点について何ら開示されていない。
【０００６】
【課題を解決するための手段】
本発明は上記課題を解決しようとするもので、効果的に転写紙の除電を行い、また耐久的にも除電能力を維持できるようにすることを目的とする。
そきために本発明は、画像形成装置の転写装置において、転写後の転写材を剥離する引き付け板に除電布を一体的に取り付けたことを特徴とする。
また、本発明は、前記除電布が２層以上剥離可能に設けられていることを特徴とする。
また、本発明は、各層の除電布の抵抗値を変えたことを特徴とする。
また、本発明は、各層の除電布へ印加する電圧を変えることを特徴とする。
また、本発明は、最表層の除電布と転写材間の距離を調整可能にしたことを特徴とする。
また、本発明は、除電布各層間にはフィルムを介在させたことを特徴とする。
また、本発明は、転写ローラと引き付け板及び除電布との間に電気的リーク防止部材を設け、該リーク防止部材により最表層の除電布のみ露出させるようにしたことを特徴とする。
また、本発明は、転写後の転写材をガイドするガイド部材を設け、該ガイド部材と除電布が取り付けられた引きつけ板とは分離可能であることを特徴とする。
【０００７】
【発明の実施の形態】
以下、本発明の実施の形態について説明する。
図１は本実施形態が適用される画像形成装置の例を説明する図である。
感光体４０は図示しない帯電器で一様帯電され、露光器４１からの画像露光で静電潜像が形成される。静電潜像をトナー現像するロータリ式現像器１９は、Ｙ，Ｍ，Ｃ，Ｋの４色の現像ユニットを有し、各ユニットの現像ローラ１９ａがロータリ式現像器の間欠回転により感光体位置にもたらされ、その位置で感光体４０と対向してトナー現像が行われる。感光体４０には、駆動ローラ１１、従動ローラ１２、サポートローラ１５、テンションローラ１３等で張架された中間転写媒体１が１次転写ローラ１４の位置で離当接し、感光体上に形成されたトナー像は中間転写媒体１に転写され（１次転写）、中間転写媒体上で４色の色重ねが行われる。
【０００８】
駆動ローラ１１（２次転写バックアップローラを兼ねる）と対向する位置には離当接機構２０により中間転写媒体１に離当接する２次転写ローラ２９が設けられており、この位置で中間転写媒体上の４色のトナー像は一括転写される（２次転写）。すなわち、用紙トレー５０から用紙繰り出しローラ５１により繰り出された用紙は、紙搬送路５２を通って２次転写ローラ２９の位置に搬送される。中間転写媒体上で色重ねが行われている間（１次転写中）は、２次転写ローラ２９は中間転写媒体と離間しているが、転写時には中間転写媒体１に当接し、転写バイアスを印加することにより中間転写媒体から用紙に４色トナー像が一括転写される（２次転写）。２次転写後の用紙は紙ガイド５３を通って加熱ローラ６０ａ、加圧ローラ６０ｂからなる定着器６０に導入され、装置上面の排紙トレー６１に排出される。
【０００９】
図２は本実施形態の転写装置に使用される転写紙ガイドの斜視図、図３は転写紙ガイドの裏側平面図、図４は除電布の構成例を説明する図、図５は１枚目の除電布を剥がした状態を説明する図であるる。
本実施形態の転写紙ガイド１は、転写前の紙をガイドして転写位置に導くガイド部材２とそれに取り付けられているガイドリブ３、転写後の紙をガイドするガイド部材４とそれに取り付けられているガイドリブ５とを有し、ガイド部材２とガイド部材４との間の転写ローラ位置８に２次転写ローラ（図示省略）が配置され、中間転写媒体（図示省略）との間で２次転写が行われる。中間転写媒体側へ転写後の紙が巻きつくのを防止するための引きつけ板６には、除電布７が両面導電粘着テープ（メタルテープ）等で接着して一体的に取り付けられており、引きつけ板６はガイド部材４とは分離可能に構成されている。従って、引きつけ板と除電布のみ交換することができる。
【００１０】
引きつけ板６と除電布７には図示しない電源より所定極性の電圧が印加されるが、転写ローラとの間で電気的リークが生ずるのを防止するために、両者間を遮るリーク防止部材９が設けられており、引きつけ板６はとめ金１０によりバネ付勢されてリーク防止部材９側へ押しつけられて固定されている。
【００１１】
除電布７は導電性ポリマー等の導電性の超微細繊維からなる不織布で、従来の除電ブラシや除電針に比して無数の先端部を有するので、効果的に紙の除電が可能である。図４に示す例の除電布は２層構成であり、引きつけ板６上に順次除電布が両面導電粘着テープで重ねて２枚貼りされており、除電布７ｂは上の除電布７ａで覆われている。このとき、２枚目の除電布は１枚目の除電布とリーク防止部材９により外部に露出しないようにしている。
【００１２】
除電布は超微細繊維からなる不織布のため耐久につれて浮遊トナーが繊維先端部に付着して除電能力が低下する。そこで、除電布の汚れ具合を中間転写媒体の回転数、印字枚数、印字デューティ等に基づいて評価し、除電能力が低下したときには、上側の除電布７ａを剥がして下層の除電布７ｂを露出させて使用する。
このようにすれば、長期間の使用が可能である。もちろん、２層構成に限らず３層以上としてもよい。
【００１３】
図５は１枚目の除電布を剥がした状態を示している。１枚目を剥がすと２枚目の除電布が露出し、新しい除電布として使用可能である。なお、１枚目と２枚目の除電布と転写後の紙との距離が異なるため、厳密には除電能力に差が生ずるので、例えば、１枚目の抵抗値を２枚目の抵抗値より大きくしたり、１枚目と２枚目の除電布に印加する除電バイアス値を変えることが望ましい。或いは、図示は省略するが、スペーサなどを設けてこれを剥がすことにより最表層の除電布の高さを調整可能とし、１枚目と２枚目の除電布の高さを揃えられるようにしてもよい。
【００１４】
また、各除電布をそのまま重ねて貼ると、例えば、１枚目の粘着材が２枚目の除電布に付着し、除電能力が落ちるため、各除電布の間にフィルムを挟み、粘着材が除電布の繊維に直には触らぬようにすることが望ましい。
【００１５】
【発明の効果】
以上のように本発明によれば、除電布が超微細繊維からなる不織布なので、除電電極の先端形状を極く細くなり、しかも無数に除電電極が形成されるため、除電効果は従来の除電針とは比べものにならないくらい優れている。なお、集塵効果があるため、耐久的に紙粉の堆積しやすい欠点があるが、多層構成として平らに置くことで長期の使用が可能である。
【図面の簡単な説明】
【図１】本実施形態が適用される画像形成装置の例を説明する図である。
【図２】本実施形態の転写装置に使用される転写紙ガイドの斜視図である。
【図３】転写紙ガイドの裏面平面図である。
【図４】除電布の構成例を説明する図である。
【図５】１枚目の除電布を剥がした状態を説明する図である。
【符号の説明】
１…転写紙ガイド、２…ガイド部材、３…ガイドリブ、３…ガイド部材、５…ガイドリブ、６…引きつけ板、７…除電布、８…転写ローラ位置、９…リーク防止部材、１０…とめ金、１９…ロータリー式現像器、１９ａ…現像ローラ、２９…２次転写ローラ、４０…感光体、４１…露光器、５０…用紙トレー、５１…用紙繰り出しローラ、５２…紙搬送路、５３…紙ガイド、６０…定着器、６１…排紙トレー。
【図１】
2004184919.tif 000003
【図２】
2004184919.tif 000004
【図３】
2004184919.tif 000005
【図４】
2004184919.tif 000006
【図５】
2004184919.tif 000007